(57)【要約】【課題】冷水、温水、熱水の三種類の異なる温度の水を選択して飲用できるウォーターサーバーの温度調整可能な出水コックを提供すること。【解決手段】熱水通路１０３及び冷水通路１０４を有する取水座体１に位置規制座体２が回動可能に連接され、位置規制座体２に熱水口２０１と冷水口２０２が開設され、取水座体１の位置規制柱が、位置規制座体２に形成した弧形の位置規制溝２０４に係合し、位置規制柱が位置規制溝２０４の一端にあるとき、熱水口２０１と冷水口２０２が熱水通路１０３及び冷水通路１０４とずれており、位置規制柱が位置規制溝２０４の他端にあるとき、冷水口２０２と冷水通路１０４がずれ、かつ熱水口２０１と熱水通路１０３が連通され、位置規制座体２を収納するハウジング４が熱水口２０１及び冷水口２０２に連通された出水通路４０１を備える。【選択図】図３
0003225486.tif 000002
【実用新案登録請求の範囲】
【請求項１】
ウォーターサーバーの温度調整可能な出水コックであって、取水座体とハウジングを含み、該取水座体に熱水通路と冷水通路が設けられ、該取水座体上に回動可能に位置規制座体が連接され、該位置規制座体に熱水口と冷水口が開設され、
前記取水座体に位置規制柱が設けられ、該位置規制座体に前記位置規制柱と組み合わされる弧形の位置規制溝が設けられ、前記位置規制柱が前記位置規制溝の一端に位置するとき、前記熱水口と冷水口が前記熱水通路及び冷水通路とそれぞれ位置がずれており、前記位置規制座体の前記取水座体に対する回動によって、前記位置規制柱が前記位置規制溝に沿って摺動するのに伴い、前記冷水口と前記冷水通路が連通し、かつ前記熱水口と前記熱水通路がずれた状態と、前記熱水口及び前記冷水口の一部がそれぞれ前記熱水通路及び前記冷水通路の一部と連通した状態を順次通過して、前記位置規制柱が前記位置規制溝の他端に位置するとき、前記冷水口と前記冷水通路の位置がずれており、かつ前記熱水口と前記熱水通路が連通され、
前記ハウジングに前記熱水口と冷水口に連通された出水通路が設置され、前記ハウジング内に前記位置規制座体と固定して連接される連接座体が設置され、前記ハウジングに前記位置規制座体を回動させる回転キャップが回動可能に連接され、前記連接座体が前記位置規制座体と回転キャップの間に位置し、
前記連接座体に連接軸が設けられ、該回転キャップに位置決め溝が設けられ、該連接軸の端部がハウジングを貫通し、かつ該位置決め溝と嵌合される位置決め部を備え、該連接座体に設けられた連接通路の一端が熱水口、冷水口に連通され、他端が出水通路に連通され、
該ハウジング内にねじりばねが設置され、該ねじりばねの両端がそれぞれ該ハウジングと該回転キャップに固定して連接され、
該熱水口と該冷水口の箇所に第１シール材が設置され、
該取水座体が該ハウジングに固定されている、
ことを特徴とする、ウォーターサーバーの温度調整可能な出水コック。
【請求項２】
前記熱水通路と前記冷水通路はそれぞれ前記取水座部と前記固定座部を貫通し、かつ前記取水座部の熱水通路と前記固定座部の熱水通路との連接箇所、前記取水座部の冷水通路と前記固定座部の冷水通路との連接箇所の両方に第２シール材が設置される、ことを特徴とする、請求項１に記載のウォーターサーバーの温度調整可能な出水コック。
【考案の詳細な説明】
【技術分野】
【０００１】
本考案は、ウォーターサーバーの温度調整可能な出水コックに関する。
【背景技術】
【０００２】
ウォーターサーバーは水を昇温または降温させてから人の飲用に提供する設備である。
一般的なウォーターサーバーは、熱水吐水口と冷水吐水口を備え、使用者が適した温度の温水を飲用したい場合、カップの中に一部分の熱水を入れ、さらに一部分の冷水を加えて温度調節を行う必要があり、使用者にとって不便であるため、改善が待たれている。
【考案の概要】
【考案が解決しようとする課題】
【０００３】
本考案が解決しようとする課題は、使用者が冷水、温水、熱水の三種類の異なる温度の水を選択して飲用でき、使用者にとって便利なウォーターサーバーの温度調整可能な出水コックを提供することにある。
【課題を解決するための手段】
【０００４】
本考案のウォーターサーバーの温度調整可能な出水コックは、ウォーターサーバーの温度調整可能な出水コックであって、取水座体とハウジングを含み、該取水座体に熱水通路と冷水通路が設けられ、該取水座体上に回動可能に位置規制座体が連接され、該位置規制座体に熱水口と冷水口が開設され、前記取水座体に位置規制柱が設けられ、該位置規制座体に前記位置規制柱と組み合わされる弧形の位置規制溝が設けられ、前記位置規制柱が前記位置規制溝の一端に位置するとき、前記熱水口と冷水口が前記熱水通路及び冷水通路とそれぞれ位置がずれており、前記位置規制座体の前記取水座体に対する回動によって、前記位置規制柱が前記位置規制溝に沿って摺動するのに伴い、前記冷水口と前記冷水通路が連通し、かつ前記熱水口と前記熱水通路がずれた状態と、前記熱水口及び前記冷水口の一部がそれぞれ前記熱水通路及び前記冷水通路の一部と連通した状態を順次通過して、前記位置規制柱が前記位置規制溝の他端に位置するとき、前記冷水口と前記冷水通路の位置がずれており、かつ前記熱水口と前記熱水通路が連通され、前記ハウジングに前記熱水口と冷水口に連通された出水通路が設置され、前記ハウジング内に前記位置規制座体と固定して連接される連接座体が設置され、前記ハウジングに前記位置規制座体を回動させる回転キャップが回動可能に連接され、前記連接座体が前記位置規制座体と回転キャップの間に位置し、前記連接座体に連接軸が設けられ、該回転キャップに位置決め溝が設けられ、該連接軸の端部がハウジングを貫通し、かつ該位置決め溝と嵌合される位置決め部を備え、該連接座体に設けられた連接通路の一端が熱水口、冷水口に連通され、他端が出水通路に連通され、該ハウジング内にねじりばねが設置され、該ねじりばねの両端がそれぞれ該ハウジングと該回転キャップに固定して連接され、該熱水口と該冷水口の箇所に第１シール材が設置され、該取水座体が該ハウジングに固定されている。
【０００５】
望ましくは、前記熱水通路と前記冷水通路はそれぞれ前記取水座部と前記固定座部を貫通し、かつ前記取水座部の熱水通路と前記固定座部の熱水通路との連接箇所、前記取水座部の冷水通路と前記固定座部の冷水通路との連接箇所の両方に第２シール材が設置される。
【考案の効果】
【０００６】
本考案によれば、冷水、温水、熱水の三種類の異なる温度の水を選択して飲用でき、使用者にとって便利である。
【図面の簡単な説明】
【０００７】
【図１】本考案の実施例を示すウォーターサーバーの温度調整可能な出水コックの斜視図である。
【図２】本考案の実施例を示すウォーターサーバーの温度調整可能な出水コックの分解斜視図である。
【図３】本考案の実施例を示すウォーターサーバーの温度調整可能な出水コックの別角度から見た分解斜視図である。
【図４】本考案の実施例に係る回転キャップの斜視図である。
【図５】本考案の実施例に係るハウジングの斜視図である。
【図６】本考案の実施例に係る位置規制座体の閉鎖状態における平面図である。
【図７】本考案の実施例に係る位置規制座体の冷水を出す状態における平面図である。
【図８】本考案の実施例に係る位置規制座体の温水を出す状態における平面図である。
【図９】本考案の実施例に係る位置規制座体の熱水を出す状態における平面図である。
【考案を実施するための形態】
【０００８】
以下、図面に基づいて本考案の実施例を詳細に説明する。
【０００９】
本考案のウォーターサーバーの温度調整可能な出水コックは、図１から図５に示すように、下から上へ順に設置される取水座体１と、位置規制座体２と、連接座体３と、ハウジング４と、回転キャップ５を含み、位置規制座体２と連接座体３はいずれもハウジング４内に配置される。
【００１０】
取水座体１は取水座部１０１と固定座部１０２を含み、固定座部１０２が取水座部１０１とハウジング４の固定に用いられる。
取水座体１には、１本の直径の両端部に熱水通路１０３と冷水通路１０４が設置される。熱水通路１０３と冷水通路１０４はそれぞれ取水座部１０１と固定座部１０２を貫通し、かつ取水座部１０１の熱水通路１０３と固定座部１０２の熱水通路１０３との連接箇所及び取水座部１０１の冷水通路１０４と固定座部１０２の冷水通路１０４との連接箇所の両方に第２シール材１０５が設置される。
【００１１】
位置規制座体２は固定座部１０２の上方に可動的に連接され、かつ熱水口２０１と冷水口２０２が開設され、熱水口２０１と冷水口２０２箇所に第１シール材２０３が設置される。
熱水口２０１と位置規制座体２中心を結ぶ接続線と、冷水口２０２と位置規制座体２中心を結ぶ接続線とは鈍角を成し、具体的には１３５°以上で、１８０°より小さい角度である（図６）。すなわち、熱水通路１０３と取水座体１中心を結ぶ線と、冷水通路１０４と取水座体１中心を結ぶ線とのなす角度は、熱水口２０１と位置規制座体２中心を結ぶ接続線と、冷水口２０２と位置規制座体２中心を結ぶ接続線との成す角度と異なり、これにより位置規制座体２の回動時、冷水通路１０４が先に冷水口２０２と揃う（図７）。
【００１２】
固定座部１０２の上表面に一体として位置規制柱１０６が連接され、位置規制座体２に位置規制柱１０６が摺動可能に組み合わされる弧形の位置規制溝２０４が設けられる。位置規制柱１０６が位置規制溝２０４の一端に位置するとき、熱水口２０１と冷水口２０２が熱水通路１０３及び冷水通路１０４とそれぞれ位置がずれており、位置規制柱１０６が位置規制溝２０４の他端に位置するとき、冷水口２０２と冷水通路１０４の位置がずれており、かつ熱水口２０１と熱水通路１０３が連通される。
【００１３】
連接座体３は、ハウジング４と位置規制座体２に挟持され、かつ位置規制座体２と固定して連接される。ここで言う固定した連接とは、組立て完了後のコックにおいて、連接座体３と位置規制座体２は一緒に回動されることを指し、位置規制座体２と連接座体３間が分離できないことを指しているのではない。
【００１４】
ハウジング４の側壁には出水通路４０１が開設され、連接座体３に連接通路３０１が開設され、連接通路３０１の一端が熱水口２０１、冷水口２０２に連通され、他端が出水通路４０１に連通される。
ハウジング４の上方に位置規制座体２を回動させる回転キャップ５が回動可能に連接され、連接座体３が位置規制座体２と回転キャップ５の間に配置される。
【００１５】
連接座体３に連接軸３０２が設置され、回転キャップ５に位置決め溝が設置される。また、連接軸３０２の端部は、ハウジング４を貫通し、かつ位置決め溝と嵌合される位置決め部３０３を備えている。
【００１６】
回転キャップ５には押圧棒５０１が可動的に連接される。押圧棒５０１は回転キャップ５の軸方向に沿って移動可能であり、その上端は回転キャップ５の上方に突出している。押圧棒５０１の下端部には、押圧棒５０１よりも径大の嵌合突起５０２が設置され、ハウジング４に嵌合突起５０２と嵌合される嵌合座部４０２が設置される。嵌合座部４０２は間隔をあけて対向する二つの片から成り、二つの片の間には、押圧棒５０１は通過できるが、嵌合突起５０２は通過できない幅の間隙が形成されている。また、嵌合座部４０２の下方には、嵌合突起５０２が通過可能な隙間が形成されている。
押圧棒５０１はばね５０３に挿通され、ばね５０３が自然状態にあるとき、嵌合突起５０２と嵌合座部４０２がずれて位置し、かつ、嵌合突起５０２と嵌合座部４０２は同じ高さにある。
ハウジング４内にはねじりばね４０３が設置され、ねじりばね４０３の両端がそれぞれハウジング４及び回転キャップ５に固定して連接される。
【００１７】
取水座体１と位置規制座体２間の回動関係で、冷水と熱水の混合により水温を制御することについて、以下でさらに説明する。
図６に示すように、使用者がコックを使用しておらず、かつ押圧棒５０１のばね５０３が自然な状態にあるとき、位置規制柱１０６が位置規制溝２０４の一端に位置し、熱水口２０１と冷水口２０２が熱水通路１０３及び冷水通路１０４とそれぞれずれて位置する。
【００１８】
図６に示す状態から使用者が回転キャップ５を回し、図７に示すように、位置規制座体２を冷水通路１０４の一部と冷水口２０２が揃った状態から、冷水通路１０４が完全に冷水口２０２と揃うようにする。このとき、冷水通路１０４から入ってくる冷水が連接座体３を通過し、ハウジング４の出水通路４０１中へ排出され、使用者は冷水を飲用することができる。
【００１９】
図７に示す状態から使用者が継続して回転キャップ５を回し、押圧棒５０１の端部の嵌合突起５０２が嵌合座部４０２側壁に押し当てられるまで回すと、嵌合突起５０２が回転キャップ５と位置規制座体２の回動を制限する。図８に示すように、この過程において、冷水通路１０４と冷水口２０２の揃った面積が徐々に小さくなり、熱水通路１０３と熱水口２０１の揃った面積が徐々に増大して、出水通路４０１から出てくる水が温水となる。
【００２０】
図８に示す状態で、使用者が押圧棒５０１を下に向かって押すと、ばね５０３が変形し、かつ嵌合突起５０２が下に移動して嵌合座部４０２の下方に形成された隙間の入口に揃い、その後使用者は押圧棒５０１の回動を継続し、回転キャップ５を介して位置規制座体２を図９に示す位置まで移動させることができる。
このとき、冷水通路１０４と冷水口２０２は完全に位置がずれ、かつ熱水通路１０３と熱水口２０１が完全に揃う（揃った状態下では熱水通路１０３を表示できない）。すると、出水通路４０１から出てくる水は熱水となる。使用者は水を取り終えた後、回転キャップ５を放すと、回転キャップ５はねじりばね４０３の復元力で元の位置に戻り、取水操作が完了する。
【符号の説明】
【００２１】
１                  取水座体
１０１              取水座部
１０２              固定座部
１０３              熱水通路
１０４              冷水通路
１０５              第２シール材
１０６              位置規制柱
２                  位置規制座体
２０１              熱水口
２０２              冷水口
２０３              第１シール材
２０４              弧形位置規制溝
３                  連接座体
３０１              連接通路
３０２              連接軸
３０３              位置決め部
４                  ハウジング
４０１              出水通路
４０２              嵌合座部
４０３              ねじりばね
５                  回転キャップ
５０１              押圧棒
５０２              嵌合突起
５０３              ばね
【図１】
0003225486.tif 000003
【図２】
0003225486.tif 000004
【図３】
0003225486.tif 000005
【図４】
0003225486.tif 000006
【図５】
0003225486.tif 000007
【図６】
0003225486.tif 000008
【図７】
0003225486.tif 000009
【図８】
0003225486.tif 000010
【図９】
0003225486.tif 000011
【手続補正書】
【提出日】令和2年1月10日(2020.1.10)
【手続補正１】
【補正対象書類名】実用新案登録請求の範囲
【補正対象項目名】全文
【補正方法】変更
【補正の内容】
【実用新案登録請求の範囲】
【請求項１】
ウォーターサーバーの温度調整可能な出水コックであって、取水座体とハウジングを含み、該取水座体に熱水通路と冷水通路が設けられ、該取水座体上に回動可能に位置規制座体が連接され、該位置規制座体に熱水口と冷水口が開設され、
前記取水座体に位置規制柱が設けられ、該位置規制座体に前記位置規制柱と組み合わされる弧形の位置規制溝が設けられ、前記位置規制柱が前記位置規制溝の一端に位置するとき、前記熱水口と冷水口が前記熱水通路及び冷水通路とそれぞれ位置がずれており、前記位置規制座体の前記取水座体に対する回動によって、前記位置規制柱が前記位置規制溝に沿って摺動するのに伴い、前記冷水口と前記冷水通路が連通し、かつ前記熱水口と前記熱水通路がずれた状態と、前記熱水口及び前記冷水口の一部がそれぞれ前記熱水通路及び前記冷水通路の一部と連通した状態を順次通過して、前記位置規制柱が前記位置規制溝の他端に位置するとき、前記冷水口と前記冷水通路の位置がずれており、かつ前記熱水口と前記熱水通路が連通され、
前記ハウジングに前記熱水口と冷水口に連通された出水通路が設置され、前記ハウジング内に前記位置規制座体と固定して連接される連接座体が設置され、前記ハウジングに前記位置規制座体を回動させる回転キャップが回動可能に連接され、前記連接座体が前記位置規制座体と回転キャップの間に位置し、
前記連接座体に連接軸が設けられ、該回転キャップに位置決め溝が設けられ、該連接軸の端部がハウジングを貫通し、かつ該位置決め溝と嵌合される位置決め部を備え、該連接座体に設けられた連接通路の一端が熱水口、冷水口に連通され、他端が出水通路に連通され、
該ハウジング内にねじりばねが設置され、該ねじりばねの両端がそれぞれ該ハウジングと該回転キャップに固定して連接され、
該熱水口と該冷水口の箇所に第１シール材が設置され、
該取水座体が該ハウジングに固定されている、
ことを特徴とする、ウォーターサーバーの温度調整可能な出水コック。
【請求項２】
前記取水座体は取水座部と固定座部を有し、前記熱水通路と前記冷水通路はそれぞれ前記取水座部と前記固定座部を貫通し、かつ前記取水座部の熱水通路と前記固定座部の熱水通路との連接箇所、前記取水座部の冷水通路と前記固定座部の冷水通路との連接箇所の両方に第２シール材が設置される、ことを特徴とする、請求項１に記載のウォーターサーバーの温度調整可能な出水コック。